(57)【要約】      （修正有）【課題】冷却器の流入口が向いている方向とは異なる方向へ向けられたファンダクト窓孔からの冷気吸入量を増加させ、冷却性能を向上する。【解決手段】少なくとも２方向に開放された側部を有する貯蔵室と、該側部の上部に冷気吹出口３ｂ１、下部に冷気吸込口３ｂ２、冷気吸込口に連通する窓孔３ｂ３を有すると共に冷気吹出口に連通するファンダクト３ｂ’と、窓孔を介してファンダクトへ冷気を吸入するファン、窓孔に隣接してファンダクト内に配設された冷却器５とを備え、冷気吹出口から冷気吸込口へ流れるエアカーテンを形成し、ファンダクトは貯蔵室の側部の各開放方向へ向いた窓孔を有して一部の窓孔は冷却器の流入口の方向と同一方向へ向けられ、残余の窓孔は冷却器の流入口の方向とは異なる方向へ向けられて、該残余の窓孔からファンダクトへ吸入された冷気を、冷却器の流入口へ差し向ける案内部材６を、ファンダクト内に配設する。【選択図】図３
2008144974.tif 000002
【特許請求の範囲】
【請求項１】
少なくとも２方向に開放された側部を有する貯蔵室と、前記開放された側部の上部に配設された冷気吹出口と、前記開放された側部の下部に配設された冷気吸込口と、冷気吸込口に連通する窓孔を有すると共に冷気吹出口に連通するファンダクトと、窓孔を介して冷気吸込口からファンダクトへ冷気を吸入するファンと、前記窓孔に隣接してファンダクト内に配設された冷却器とを備え、冷気吹出口から冷気吸込口へ流れる冷気により貯蔵室の前記開放された側部にエアカーテンを形成し、ファンダクトは貯蔵室の側部の各開放方向へ差し向けられた窓孔を有し、一部の窓孔は冷却器の流入口が差し向けられた方向と同一方向へ差し向けられ、残余の窓孔は冷却器の流入口が差し向けられた方向とは異なる方向へ差し向けられ、前記残余の窓孔からファンダクトへ吸入された冷気を、冷却器の流入口へ差し向ける案内部材が、ファンダクト内に配設されていることを特徴とするオープンショーケース。
【請求項２】
冷却器の流入口が差し向けられた方向とは異なる方向へ差し向けられた窓孔は、冷却器の流入口を見通せる位置に配設されていること特徴とする請求項１に記載のオープンショーケース。
【請求項３】
ファンは窓孔に配設されていること特徴とする請求項１又は２に記載のオープンショーケース。
【請求項４】
異なる方向へ差し向けられた互いに隣接する窓孔の一方への流入冷気流と他方への流入冷気流とを仕切る仕切部材を備えること特徴とする請求項１乃至３の何れか１項に記載のオープンショーケース。
【請求項５】
冷却器の流入口と同一方向へ差し向けられた窓孔近傍のファンダクト囲壁が、窓孔へ差し向けられた凹部を形成していることを特徴とする請求項１乃至４の何れか１項に記載のオープンショーケース。
【請求項６】
凹部の深さは、冷却器の流入口と同一方向へ差し向けられた窓孔へ向けて漸増していることを特徴とする請求項５に記載のオープンショーケース。
【請求項７】
凹部の外縁が、冷却器の流入口と同一方向へ差し向けられた窓孔への流入冷気流と冷却器の流入口とは異なる方向へ差し向けられた窓孔への流入冷気流とを仕切る仕切部材を形成していることを特徴とする請求項６に記載のオープンショーケース。
【発明の詳細な説明】
【技術分野】
【０００１】
本発明は、オープンショーケースに関するものである。
【背景技術】
【０００２】
少なくとも２方向に開放された側部を有する貯蔵室と、前記開放された側部の上部に配設された冷気吹出口と、前記開放された側部の下部に配設された冷気吸込口と、冷気吸込口に連通する窓孔を有すると共に冷気吹出口に連通するファンダクトと、窓孔に配設されて冷気吸込口からファンダクトへ冷気を吸入するファンと、前記窓孔に隣接してファンダクト内に配設された冷却器とを備え、冷気吹出口から冷気吸込口へ流れる冷気により貯蔵室の前記開放された側部にエアカーテンを形成し、ファンダクトは貯蔵室の側部の各開放方向へ差し向けられた窓孔を有し、一部の窓孔は冷却器の流入口が差し向けられた方向と同一方向へ差し向けられ、残余の窓孔は冷却器の流入口が差し向けられた方向とは異なる方向へ差し向けられたオープンショーケースが特許文献１の図１０に従来技術として紹介されている。
【特許文献１】特開平１０−１４８４４８号公報
【発明の開示】
【発明が解決しようとする課題】
【０００３】
特許文献１で紹介された従来のオープンショーケースには、冷却器の流入口が差し向けられた方向とは異なる方向へ差し向けられたファンダクト窓孔から吸入された冷気が、冷却器の流入口へ到達し難いので、冷却器の流入口が差し向けられた方向とは異なる方向へ差し向けられたファンダクト窓孔からの冷気吸入量が少なく、冷却性能が良くないという問題がある。
本発明は上記問題に鑑みてなされたものであり、冷却器の流入口が差し向けられた方向とは異なる方向へ差し向けられたファンダクト窓孔からの冷気吸入量が従来に比べて増加し、冷却性能が従来に比べて向上したオープンショーケースを提供することを目的とする。
【課題を解決するための手段】
【０００４】
上記課題を解決するために、本発明においては、少なくとも２方向に開放された側部を有する貯蔵室と、前記開放された側部の上部に配設された冷気吹出口と、前記開放された側部の下部に配設された冷気吸込口と、冷気吸込口に連通する窓孔を有すると共に冷気吹出口に連通するファンダクトと、窓孔を介して冷気吸込口からファンダクトへ冷気を吸入するファンと、前記窓孔に隣接してファンダクト内に配設された冷却器とを備え、冷気吹出口から冷気吸込口へ流れる冷気により貯蔵室の前記開放された側部にエアカーテンを形成し、ファンダクトは貯蔵室の側部の各開放方向へ差し向けられた窓孔を有し、一部の窓孔は冷却器の流入口が差し向けられた方向と同一方向へ差し向けられ、残余の窓孔は冷却器の流入口が差し向けられた方向とは異なる方向へ差し向けられ、前記残余の窓孔からファンダクトへ吸入された冷気を、冷却器の流入口へ差し向ける案内部材が、ファンダクト内に配設されていることを特徴とするオープンショーケースを提供する。
本発明に係るオープンショーケースにおいては、冷却器の流入口が差し向けられた方向とは異なる方向へ差し向けられた窓孔からファンダクトへ吸入された冷気は、案内部材により冷却器の流入口へ差し向けられ、冷却器の流入口へ容易に到達し、冷却器の流入口へ流入する。この結果、冷却器の流入口が差し向けられた方向とは異なる方向へ差し向けられたファンダクト窓孔からの冷気吸入量が従来に比べて増加し、冷却性能が従来に比べて向上する。
【０００５】
本発明の好ましい態様においては、冷却器の流入口が差し向けられた方向とは異なる方向へ差し向けられた窓孔は、冷却器の流入口を見通せる位置に配設されている。
冷却器の流入口が差し向けられた方向とは異なる方向へ差し向けられた窓孔を、冷却器の流入口を見通せる位置に配設することにより、当該窓孔から冷却器流入口へ向けて冷気が流れ易くなる。
【０００６】
本発明の好ましい態様においては、ファンは窓孔に配設されている。
ファンは、ファンダクト内の冷気の流れに関して、冷却器の上流、下流のいずれに配設しても良いが、冷却器の流入口が差し向けられた方向とは異なる方向へ差し向けられた窓孔からの冷気吸入量を増加させるのには、ファンを窓孔に配設するのが最も効果的と考えられる。
【０００７】
本発明の好ましい態様においては、オープンショーケースは、異なる方向へ差し向けられた互いに隣接する窓孔の一方への流入冷気流と他方への流入冷気流とを仕切る仕切部材を備える。
異なる方向へ差し向けられた互いに隣接する窓孔の一方への流入冷気流と他方への流入冷気流とを仕切ることにより、各窓孔の冷気吸入量を適正に配分することができる。
【０００８】
本発明の好ましい態様においては、冷却器の流入口と同一方向へ差し向けられた窓孔近傍のファンダクト囲壁が、窓孔へ差し向けられた凹部を形成している。
冷却性能を高めるために、冷却器の冷気通過方向の寸法、即ち冷却器の流入口が差し向けられた方向の寸法、を増加させるのが望ましい。オープンショーケース全体の寸法を増加させることなく冷却器の冷気通過方向の寸法を増加させると、冷却器の冷気通過方向のファンダクト寸法が増加して、ファンダクト囲壁の冷却器流入口に対峙する部位がオープンショーケースの外殻を形成する断熱板に接近し、両者間の隙間が形成する冷気吸込口が狭くなって、冷却器の流入口と同一方向へ差し向けられた窓孔からの冷気吸入量が減少する。従って、冷却性能を高めるべく、冷却器の冷気通過方向の寸法を増加させる場合には、冷却器の流入口と同一方向へ差し向けられた窓孔近傍のファンダクト囲壁を、窓孔へ向けて凹ませ、ファンダクト囲壁の冷却器流入口に対峙する部位とオープンショーケースの外殻を形成する断熱板との間の隙間が形成する冷気吸込口の幅を適正化するのが望ましい。
【０００９】
本発明の好ましい態様においては、凹部の深さは、冷却器の流入口と同一方向へ差し向けられた窓孔へ向けて漸増している。
凹部の深さを、冷却器の流入口と同一方向へ差し向けられた窓孔へ向けて漸増させることにより、案内部材の配設スペースをファンダクト内に確保しつつ、冷却器の流入口と同一方向へ差し向けられた窓孔に対峙する冷気吸入口の適正幅領域を十分に確保することが可能になる。
【００１０】
本発明の好ましい態様においては、凹部の外縁が、冷却器の流入口と同一方向へ差し向けられた窓孔への流入冷気流と冷却器の流入口とは異なる方向へ差し向けられた窓孔への流入冷気流とを仕切る仕切部材を形成する。
凹部の外縁が冷却器の流入口と同一方向へ差し向けられた窓孔への流入冷気流と冷却器の流入口とは異なる方向へ差し向けられた窓孔への流入冷気流とを仕切る仕切部材を形成することにより、仕切部材を別途配設する必要がなくなり、部品点数が減少する。
【発明の効果】
【００１１】
本発明に係るオープンショーケースにおいては、冷却器の流入口が差し向けられた方向とは異なる方向へ差し向けられた窓孔からファンダクトへ吸入された冷気は、案内部材により冷却器の流入口へ差し向けられ、冷却器の流入口へ容易に到達し、冷却器の流入口へ流入する。この結果、冷却器の流入口が差し向けられた方向とは異なる方向へ差し向けられたファンダクト窓孔からの冷気吸入量が従来に比べて増加し、冷却性能が従来に比べて向上する。
【発明を実施するための最良の形態】
【００１２】
本発明の第１実施例に係るオープンショーケースを説明する。
図１に示すように、オープンショーケース１は、背中合わせに連結された一対の直ショーケース２と、直ショーケース２の一方の側部に連結されたアラウンドショーケース３とを備えている。
直ショーケース２は、図１に示すように、１方向に開放された側部を有する貯蔵室２ａと、前記開放された側部の上部に配設された図示しない冷気吹出口と前記開放された側部の下部に配設された図示しない冷気吸込口とを有する冷気循環ダクト２ｂと、冷気吸込口近傍に配設されて冷気循環ダクト２ｂへ冷気を吸入する図示しないファンと、冷気吸込口近傍の冷気循環ダクト２ｂ内に、且つ冷気循環ダクト２ｂ内の冷気の流れに関して前記ファンの下流に配設された図示しない冷却器とを備えている。
【００１３】
アラウンドショーケース３は、図１〜３に示すように、３方向に開放された側部を有する貯蔵室３ａと、前記開放された側部の上部に配設された冷気吹出口３ｂ１と前記開放された側部の下部に配設された冷気吸込口３ｂ２とを有する冷気循環ダクト３ｂを備えている。冷気循環ダクト３ｂの下部は、冷気吸込口３ｂ２に連通する窓孔３ｂ３を有するファンダクト３ｂ’を形成している。アラウンドショーケース３は更に、窓孔３ｂ３に配設されてファンダクト３ｂ’へ冷気を吸入するファン４と、窓孔３ｂ３に隣接してファンダクト３ｂ’内に配設された冷却器５とを備えている。冷却器５はファンダクト３ｂ’内の冷気の流れに関して、ファン４の下流に配設されている。
ファンダクト３ｂ’は、貯蔵室３ａの側部の各開放方向へ差し向けられた３つの窓孔３ｂ３を有している。３つの窓孔３ｂ３中の一つは冷却器５の流入口５ａが差し向けられた方向と同一方向へ差し向けられ、他の二つは冷却器５の流入口５ａが差し向けられた方向とは異なる方向へ差し向けられている。冷却器５の流入口５ａが差し向けられた方向とは異なる方向へ差し向けられた窓孔３ｂ３は、冷却器５の流入口５ａを見通せる位置に配設されている。冷却器５の流入口５ａが差し向けられた方向とは異なる方向へ差し向けられた窓孔３ｂ３からファンダクト３ｂ’へ吸入された冷気を、冷却器５の流入口５ａへ差し向ける案内部材６が、ファンダクト３ｂ’内に配設されている。
ファンダクト３ｂ’の窓孔３ｂ３が形成された囲壁と、アラウンドショーケース３の外殻を形成する断熱板７の前記囲壁に対峙する部位との間の隙間が冷気吸込口３ｂ２を形成している。
冷却器５の流入口５ａが差し向けられた方向とは異なる方向へ差し向けられた窓孔３ｂ３が対峙する冷気吸込口３ｂ２と、冷却器５の流入口５ａが差し向けられた方向へ差し向けられた窓孔３ｂ３が対峙する冷気吸込口３ｂ２とを仕切る仕切板８が配設されている。
【００１４】
直ショーケース２の貯蔵室２ａとアラウンドショーケース３の貯蔵室３ａとには複数枚の棚が配設されている。直ショーケース２の貯蔵室２ａとアラウンドショーケース３の貯蔵室３ａとは仕切板９により仕切られている。
【００１５】
直ショーケース２においては、貯蔵室２ａの冷気吹出口から吹き出した冷気がエアカーテンを形成して下方へ流れ、冷気吸込口から冷気循環ダクト２ｂへ吸入され、冷却器を通過して冷却され、冷気循環ダクト２ｂ内を冷気吹出口へ流れ、再び冷気吹出口から吹き出す。貯蔵室の開放された側部に冷気のエアカーテンが形成されることにより、貯蔵室２ａが効率良く冷却される。
【００１６】
アラウンドショーケース３においては、貯蔵室３ａの３方向に開放された側部の冷気吹出口３ｂ１から吹き出した冷気がエアカーテンを形成して下方へ流れ、３つの冷気吸込口３ｂ２から３つの窓孔３ｂ３を通ってファンダクト３ｂ’へ吸入され、冷却器５を通過して冷却され、冷気循環ダクト３ｂ内を冷気吹出口３ｂ１へ流れ、再び冷気吹出口３ｂ１から吹き出す。貯蔵室３ａの３方向に開放された側部に冷気のエアカーテンが形成されることにより、貯蔵室３ａが効率良く冷却される。
アラウンドショーケース３においては、冷却器５の流入口５ａが差し向けられた方向とは異なる方向へ差し向けられた窓孔３ｂ３からファンダクト３ｂ’へ吸入された冷気を、冷却器５の流入口５ａへ差し向ける案内部材６が、ファンダクト３ｂ’内に配設されているので、図３に二重白抜矢印で示すように、冷却器５の流入口５ａが差し向けられた方向とは異なる方向へ差し向けられた窓孔３ｂ３から吸入された冷気は、案内部材６に衝突して流れの向きを変え、冷却器５の流入口５ａに容易に到達し、冷却器５の流入口５ａへ流入する。この結果、冷却器５の流入口５ａが差し向けられた方向とは異なる方向へ差し向けられた窓孔３ｂ３からの冷気吸入量が従来に比べて増加し、冷却性能が従来に比べて向上する。
アラウンドショーケース３においては、冷却器５の流入口５ａが差し向けられた方向とは異なる方向へ差し向けられた窓孔３ｂ３を、冷却器５の流入口５ａを見通せる位置に配設したので、当該窓孔３ｂ３から冷却器流入口５ａへ向けて冷気が流れ易くなっている。
アラウンドショーケース３においては、仕切板８により、図３に白抜矢印で示す、異なる方向へ差し向けられた互いに隣接する窓孔３ｂ３の一方への流入冷気流と他方への流入冷気流とが仕切られる。この結果、各窓孔３ｂ３の冷気吸入量が適正に配分され、冷却性能が向上する。
【００１７】
本発明の第２実施例を説明する。
本実施例においては、図４に示すように、アラウンドショーケース３において、冷却器５の流入口５ａと同一方向へ差し向けられた窓孔３ｂ３近傍のファンダクト３ｂ’囲壁が、上面視で窓孔３ｂ３へ差し向けられた凹部３ｂ”を形成し、凹部３ｂ”と、アラウンドショーケース３の外殻を形成する断熱板７の前記凹部３ｂ”に対峙する部位との間の隙間が形成する冷気吸込口３ｂ２の幅が適正化されている。
アラウンドショーケース３の冷却性能を高めるために、冷却器５の冷気通過方向の寸法、即ち冷却器の流入口５ａが差し向けられた方向の寸法Ｌ、を増加させるのが望ましい。アラウンドショーケース３全体の寸法を増加させることなく、冷却器５の冷気通過方向の寸法Ｌを増加させると、冷却器５の冷気通過方向のファンダクト寸法が増加して、ファンダクト３ｂ’囲壁の冷却器流入口５ａに対峙する部位がアラウンドショーケース３の外殻を形成する断熱板７に接近し、両者間の隙間が形成する冷気吸込口３ｂ２が狭くなって、冷却器５の流入口５ａと同一方向へ差し向けられた窓孔３ｂ３からの冷気吸入量が減少し、冷却性能が低下する。従って、アラウンドショーケース３の冷却性能を高めるべく、冷却器５の冷気通過方向の寸法Ｌを増加させる場合には、冷却器５の流入口５ａと同一方向へ差し向けられた窓孔３ｂ３近傍のファンダクト３ｂ’囲壁を、上面視で窓孔３ｂ３へ向けて凹ませ、ファンダクト３ｂ’囲壁の冷却器流入口５ａに対峙する部位とアラウンドショーケース３の外殻を形成する断熱板７との間の隙間が形成する冷気吸込口３ｂ２の幅を適正化するのが望ましい。
図４から分かるように、凹部３ｂ”の深さは、仕切板８に隣接する位置から冷却器５の流入口５ａと同一方向へ差し向けられた窓孔３ｂ３へ向けて漸増している。この結果、案内部材６の配設スペースをファンダクト３ｂ’内に確保しつつ、冷却器５の流入口５ａと同一方向へ差し向けられた窓孔３ｂ３に対峙する冷気吸入口３ｂ２の適正幅領域を十分に確保することが可能になる。
【００１８】
第２実施例において、仕切板８を除去し、凹部３ｂ”の外縁を断熱板７に当接させて、凹部３ｂ”の外縁が、冷却器５の流入口５ａと同一方向へ差し向けられた窓孔３ｂ３への流入冷気流と冷却器５の流入口５ａとは異なる方向へ差し向けられた窓孔３ｂ３への流入冷気流とを仕切る仕切板を形成するように、アラウンドショーケース３構成しても良い。ファンダクト３ｂ”の囲壁が仕切板を構成するので、仕切板を別途配設する必要がなくなり、部品点数が減少する。
【００１９】
上記実施例では、ファンダクト３ｂ’内の冷気の流れに関して冷却器５の上流に、より具体的には窓孔３ｂ３にファン４を配設したが、ファン４に代えて、ファンダクト３ｂ’内の冷気の流れに関して冷却器５の下流にファンを配設しても良い。
上記実施例では、アラウンドショーケース３の貯蔵室３ａの側部を３方向に開放したが、本発明は貯蔵室３ａの側部が２方向に開放したショーケースにも適用可能である。
【００２０】
上記実施例では、窓孔３ｂ３の近傍に冷却器５を配設したが、冷気吹出口３ｂ１の近傍に冷却器５を配設した場合には、冷却器５の流出口から流出した冷気を、冷却器５の流出口が差し向けられた方向とは異なる方向へ差し向けられた冷気吹出口３ｂ１へ差し向ける案内部材を、冷気循環ダクト３ｂ内に配設すれば、冷却器５の流出口が差し向けられた方向とは異なる方向へ差し向けられた冷気吹出口３ｂ１からの冷気吹出量を増加させることができる。
【図面の簡単な説明】
【００２１】
【図１】本発明の第１実施例に係るアラウンドショーケースを備えるオープンショーケースの斜視図である。
【図２】本発明の第１実施例に係るアラウンドショーケースの縦断面図である。
【図３】図２のＩＩＩ−ＩＩＩ矢視図である。
【図４】本発明の第２実施例に係るアラウンドショーケースの、図３に相当する図である。
【符号の説明】
【００２２】
１  オープンショーケース
２  直ショーケース
３  アラウンドショーケース
２ａ、３ａ  貯蔵室
２ｂ、３ｂ  冷気循環ダクト
３ｂ’  ファンダクト
３ｂ１    冷気吹出口
３ｂ２    冷気吸込口
３ｂ３    窓孔
３ｂ”  凹部
４  ファン
５  冷却器
５ａ  流入口
６  案内部材
７  断熱板
８、９  仕切板
Ｌ  冷却器の冷気通過方向の寸法
【図１】
2008144974.tif 000003
【図２】
2008144974.tif 000004
【図３】
2008144974.tif 000005
【図４】
2008144974.tif 000006